(57)【要約】【課題】水資源をより充分に節約可能であると共に、排水トラップの上流側に悪臭が逆流してしまうことを防止できる汚物搬送システムを提供する。【解決手段】任意階に、便器１０と、便器１０の排出口と接続された汚物横引き管１１とが設けられ、汚物横引き管１１に汚物立て管１２が接続されている。任意階よりも上の階である上層階に、キッチン、浴室、手洗い、洗面及び洗濯機の少なくとも１種からなり、使用済み排水を排水トラップ２０ｔ等を介して排水する水使用設備と、排水トラップ２０ｔ等の排水口に接続された排水横引き管２５とが設けられている。大気開放されて排水横引き管２５と接続され、使用済み排水を貯水可能であり、汚物横引き管１１に使用済み排水を流水可能な貯水タンク４０とを備えている。【選択図】図１
2008095355.tif 000002
【特許請求の範囲】
【請求項１】
任意の階である任意階に設けられた便器と、
該任意階に設けられ、該便器の排出口と接続された汚物横引き管と、
該任意階から下方に延び、該汚物横引き管と接続された汚物立て管と、
該任意階よりも上の階である上層階に設けられたキッチン、浴室、手洗い、洗面及び洗濯機の少なくとも１種からなり、使用済み排水を排水トラップを介して排水する水使用設備と、
該上層階に設けられ、該排水トラップの排水口に接続された排水横引き管と、
大気開放されて該排水横引き管と接続され、該使用済み排水を貯水可能であり、該汚物横引き管に該使用済み排水を流水可能な貯水タンクとを備えたことを特徴とする汚物搬送システム。
【請求項２】
前記貯水タンクは、雨水が貯水されるように構成されている請求項１記載の汚物搬送システム。
【請求項３】
前記貯水タンクは、上水が貯水されるように構成されている請求項１又は２記載の汚物搬送システム。
【請求項４】
前記便器は、非水洗式のものである請求項１乃至３のいずれか１項記載の汚物搬送システム。
【請求項５】
前記汚物横引き管は、排水トラップを介して前記汚物立て管に接続されている請求項４記載の汚物搬送システム。
【請求項６】
前記汚物横引き管は、大気に連通している請求項１乃至５のいずれか１項記載の汚物搬送システム。
【請求項７】
前記貯水タンクは複数の階に配置され、上方の該貯水タンクと下方の該貯水タンクとは、上方の該貯水タンクの貯水量を超える水を下方の該貯水タンクに流入させるオーバーフロー管で接続されている請求項１乃至６のいずれか１項記載の汚物搬送システム。
【請求項８】
前記オーバーフロー管の下端には補助水を貯水する補助タンクが設けられ、該補助タンクと上方の前記貯水タンクとは補助給水管によって接続され、該補助給水管には該補助タンク内の該補助水を該貯水タンクに汲み上げるポンプが設けられている請求項７記載の汚物搬送システム。
【発明の詳細な説明】
【技術分野】
【０００１】
本発明は汚物搬送システムに関する。
【背景技術】
【０００２】
特許文献１の図１に従来の汚物搬送システムが開示されている。この汚物搬送システムは、浴槽の残水等の使用済み排水や雨水を貯水するタンクと、浴槽等から延び、タンクに使用済み排水を流入させる配管と、便器の排出口に接続された汚物横引き管と、タンクに貯水された使用済み排水等を汚物横引き管に送水するポンプを有する配管とを備えている。
【０００３】
このような構成である従来の汚物搬送システムでは、用便後、便器洗浄操作に連動してポンプを所定時間駆動し、タンク内の使用済み排水等を汚物横引き管に勢い良く送水する。これにより、汚物横引き管の下流側へ汚物が搬送される。このため、便器洗浄水の使用量を大幅に削減しても、汚物横引き管内の汚物搬送を良好に行うことが可能となっている。
【０００４】
また、特許文献２に従来の雨水利用設備が開示されている。この雨水利用設備は、上層階のバルコニーに設置した貯水タンクと、屋根の軒先から延び貯水タンクに雨水を流入させる樋と、貯水タンクに接続された給水用配管とを備えている。給水用配管を室内に引き込めば、トイレの洗浄水等の水として雨水を使用することができる。集合住宅にこの雨水利用設備を適用する場合には、各階のバルコニーに貯水タンクを設置し、上の階の貯水タンクからオーバーフロー管を介して下の階の貯水タンクに雨水が流入するように構成され得る。
【０００５】
このような構成である従来の雨水利用設備では、貯水タンクとトイレとの落差を利用して雨水を供給することができるので、ポンプ等の設備を省略することができる。このため、設備稼働コストがほとんど不要となる。
【０００６】
【特許文献１】特開２００２−７０１１０号公報
【特許文献２】特開平９−３０２７７０号公報
【発明の開示】
【発明が解決しようとする課題】
【０００７】
しかし、上記従来の汚物搬送システムでは、タンクに貯水された大量の使用済み排水等が汚物横引き管に送水され、タンク内の水位が下降すると、浴槽とタンクとを接続しているパイプを介して浴槽の排水口に備えられた排水トラップの封水を吸引し、破封してしまう虞がある。このため、排水トラップの上流側へ悪臭が逆流してしまう虞がある。
【０００８】
また、上記従来の雨水利用設備では、雨水を利用するのみであり、浴槽等の使用済み排水が利用されず、水資源を十分に節約できない。
【０００９】
本発明は、上記従来の実情に鑑みてなされたものであって、水資源をより充分に節約可能であると共に、排水トラップの上流側に悪臭が逆流してしまうことを防止できる汚物搬送システムを提供することを解決すべき課題としている。
【課題を解決するための手段】
【００１０】
本発明の汚物搬送システムは、任意の階である任意階に設けられた便器と、
該任意階に設けられ、該便器の排出口と接続された汚物横引き管と、
該任意階から下方に延び、該汚物横引き管と接続された汚物立て管と、
該任意階よりも上の階である上層階に設けられたキッチン、浴室、手洗い、洗面及び洗濯機の少なくとも１種からなり、使用済み排水を排水トラップを介して排水する水使用設備と、
該上層階に設けられ、該排水トラップの排水口に接続された排水横引き管と、
大気開放されて該排水横引き管と接続され、該使用済み排水を貯水可能であり、該汚物横引き管に該使用済み排水を流水可能な貯水タンクとを備えたことを特徴とする。
【００１１】
このような構成である本発明の汚物搬送システムにおいて、汚物横引き管に使用済み排水を流水することで貯水タンクの水位が急激に下降した場合、貯水タンクは大気開放されているため貯水タンク内部に大気が吸引される。このため、貯水タンクに接続された排水横引き管を介して水使用設備の排水トラップの封水が吸引されることがなく、水使用設備の排水トラップの水封を保つことができる。また、キッチン、浴室、手洗い、洗面及び洗濯機の少なくとも一種から排水される使用済み排水を汚物横引き管内の汚物搬送に利用することができる。
【００１２】
したがって、本発明の汚物搬送システムは、水使用設備の排水トラップの上流側に悪臭が逆流してしまうことを防止できると共に、水資源をより充分に節約することができる。
【００１３】
貯水タンクは、雨水が貯水されるように構成されていることが好ましい。この場合、雨水も貯水タンクに貯水され、汚物搬送に利用されるため、水資源をさらに節約することができる。
【００１４】
貯水タンクは、上水が貯水されるように構成されていることが好ましい。この場合、貯水タンクの貯水量が一定量以下に減少すると上水を貯水タンクに給水するようにすることができる。このようにすれば、貯水タンクの貯水量を常に汚物搬送に充分な量に確保しておくことができる。
【００１５】
便器は、非水洗式のものであることが好ましい。この場合、便器洗浄に水が利用されない、若しくは、少ない水量で便器洗浄が行なわれるにすぎないため、水の使用量を大幅に削減することができる。
【００１６】
非水洗式の便器としては、便器洗浄を行わないものや泡だった粘性のある薬液で便器を洗浄するものの他、便器の排出口にフラップ弁を備え、少ない水量で便器洗浄を行なえる簡易水洗式便器が含まれる。
【００１７】
汚物横引き管は、排水トラップを介して汚物立て管に接続されていることが好ましい。この場合、汚物横引き管に接続されている便器に排水トラップ等の逆流防止手段が備えられていないものであっても、汚物立て管からの悪臭が便器側へ逆流することを防止することができる。
【００１８】
また、汚物横引き管は、大気に連通していることが好ましい。この場合、汚物横引き管内の悪臭を屋外へ放出することができる。また、汚物横引き管を通じて室内の悪臭も屋外へ放出することができる。このため、室内の換気扇がなくても悪臭を効率的に排気することが可能となる。また、汚物横引き管に接続されている便器が水洗式のものであったり、簡易水洗式のものであったりした場合には、汚物横引き管の内部が負圧になったとしても、水洗式便器の排水トラップ内の封水や、簡易水洗式便器のフラップ弁の貯留水が吸引されることがなく、水封を保つことができる。このため、便器内部側へ悪臭が逆流してしまうことを防止することができる。
【００１９】
貯水タンクは複数の階に配置され、上方の貯水タンクと下方の貯水タンクとは、上方の貯水タンクの貯水量を超える水を下方の貯水タンクに流入させるオーバーフロー管で接続されていることが好ましい。この場合、上方の貯水タンクに貯水できない使用済み排水等を無駄に汚物横引き管に放流することなく、下方の貯水タンクに貯留して汚物搬送に利用することができる。このため、より水資源を節約することができる。特に集合住宅等の多層階の建物に本発明の汚物搬送システムを適用すると有効である。
【００２０】
オーバーフロー管の下端には補助水を貯水する補助タンクが設けられ、補助タンクと上方の貯水タンクとは補助給水管によって接続され、補助給水管には補助タンク内の補助水を貯水タンクに汲み上げるポンプが設けられていることが好ましい。この場合、オーバーフローした使用済み排水等を再度上方の貯水タンクに汲み上げ、汚物搬送に利用することができる。このため、水資源をより充分に節約することができる。
【発明を実施するための最良の形態】
【００２１】
以下、本発明を具体化した実施例１、２を図面を参照しつつ説明する。
【実施例１】
【００２２】
図１に示すように、実施例１の汚物搬送システムは、集合住宅の任意階Ｆｎに設けられた便器１０と、便器１０の排出口１０ｅと接続された汚物横引き管１１と、任意階Ｆｎから下方に延び、汚物横引き管１１と接続された汚物立て管１２とを備えている。
【００２３】
便器１０は、便器１０の排出口１０ｅにフラップ弁１０ｆを備えた簡易水洗式のものである。この簡易水洗式便器は、図２（ａ）に示すように、便器使用時、フラップ弁１０ｆが排出口１０ｅに押付けられて便器１０の排出口１０ｅ内部に多めの水１００が溜められる。これにより、便器１０の排出口１０ｅ内部に排便される汚物によって排出口１０ｅ内部が汚れることを防止している。一方、図２（ｂ）に示すように、便器不使用時、フラップ弁１０ｆが排出口１０ｅからわずかに離れて、フラップ弁に溜まった水１０１により汚物横引き管１１からの悪臭が排出口１０ｅを通じて便器１０の内部へ逆流しないように水封が形成されている。
【００２４】
また、任意階Ｆｎには、水使用設備である浴室に設けられる浴槽２０、洗面に設けられる洗面器２１及び洗濯機２２が設置され、各水使用設備に設けられた水使用設備用排水トラップ２０ｔ、２１ｔ、２２ｔの排水口が排水横引き管２５に接続されている。洗面器２１の排水トラップ２１ｔの排水口側上部には、浴槽２０の排水時に洗面器２１の排水トップ２１ｔが破封しないように大気開放弁２１ｖが取り付けられている。排水横引き管２５の下流端には、浴槽２０、洗面器２１、洗濯機２２の使用済み排水を貯水可能な貯水タンク３０が各階に備えられている。
【００２５】
各貯水タンク３０は、上層階の排水横引き管２５より下方、且つ下層階の汚物横引き管１１より上方に位置している。各貯水タンク３０の下部排出口からバルブ１１ｖを介して汚物横引き管１１に接続されている。このため、便器１０を使用した後、又は一定時間ごとにバルブ１１ｖを開弁すると、貯水タンク３０と汚物横引き管１１との落差により、貯水タンク３０に貯水された使用済み排水等が汚物横引き管１１を流水し、汚物を汚物立て管１２まで搬送する。
【００２６】
各貯水タンク３０は、上方の貯水タンク３０及び下方の貯水タンク３０とオーバーフロー管７０を介して接続されている。オーバーフロー管７０の流入口及び流出口は、接続される各貯水タンク３０の上部に設けられている。
【００２７】
最上階には雨水貯留タンク４０が備えられている。雨水貯留タンク４０の上部には、集合住宅の屋上に設けられた樋４１に接続された雨水流入管４２と、上端に排気ファン４３ｆが取り付けられた通気管４３とが接続されている。また、雨水貯留タンク４０は、各貯水タンク３０と同様、下方の貯水タンク３０とオーバーフロー管７０を介して接続され、最上階の汚物横引き管１１と接続されている。
【００２８】
雨水貯留タンク４０は、上端部に通気ファン４３ｆが取り付けられた通気管４３が接続され、大気開放されている。また、各貯水タンク３０は通気管４３、雨水貯留タンク４０、オーバーフロー管７０及び貯水タンク３０を介して大気開放されている。
【００２９】
各貯水タンク３０及び雨水貯留タンク４０は、上水給水バルブ５１ｖが設けられた給水管５１を介して個別の上水給水タンク５０と接続されている。各上水給水タンク５０は上水給水管５２を介して一定量の上水が貯留されている。貯水タンク３０及び雨水貯留タンク４０は水位センサ３０ｓ、４０ｓが設けられている。給水先の貯水タンク３０又は雨水貯留タンク４０の水位が一定以下になったことを水位センサ３０ｓ、４０ｓが検知した場合、それに対応する上水給水バルブ５１ｖが一定時間開弁され、上水給水タンク５０から貯水タンク３０又は雨水貯留タンク４０に上水が補給される。
【００３０】
汚物横引き管１１は、下流側端部を汚物管用排水トラップ１１ｔを介して汚物立て管１２に接続されている。また、汚物横引き管１１は上端部に排気ファン６１ｆが取り付けられた排気管６０に連通している。
【００３１】
このような構成である実施例１の汚物搬送システムにおいて、汚物搬送のために貯水タンク３０から使用済み排水及び雨水を汚物横引き管１１に流水させ、貯水タンク３０の水位が急激に下降すると、貯水タンク３０の内部には通気管４３、雨水貯留タンク４０及びオーバーフロー管７０を介して大気が吸引される。このため、貯水タンク３０に接続された排水横引き管２５を介して各水使用設備用排水トラップ２０ｔ、２１ｔ、２２ｔの封水が吸引されず、水封を保つことができる。また、各階の水使用設備である浴室に設けられる浴槽２０、洗面に設けられる洗面器２１及び洗濯機２２から排水される使用済み排水を各汚物横引き管１１内の汚物搬送に利用することができる。
【００３２】
また、集合住宅の屋上に降った雨水を雨水貯留タンク４０に貯水し、最上階の汚物横引き管１１に流水すると共に、オーバーフロー管７０を介して下方の貯水タンク３０へも雨水を流入させ貯水させることができる。
【００３３】
また、貯水タンク３０及び雨水貯留タンク４０は、上水給水タンク５０と接続されており、各貯水タンク３０又は雨水貯留タンク４０の水位が一定以下になると上水が補給され、常に汚物搬送に充分な貯水量を貯水タンク３０又は雨水貯留タンク４０に確保しておくことができる。
【００３４】
また、便器１０は簡易水洗式のものであるため、わずかな水量で便器洗浄を行うことができる。
【００３５】
また、汚物横引き管１１は汚物排水トラップ１１ｔを介して汚物立て管１２に接続されているため、汚物立て管１２からの悪臭が汚物排水トラップ１１ｔの上流側に逆流することを防止している。
【００３６】
また、汚物横引き管１１は排気管６０を介して大気と連通しているため、排気ファン６１ｆが駆動され効率的に汚物横引き管１１内の悪臭を大気へ放出することができる。また、フラップ弁１０ｆが汚物排出の際に開放されると、便器１０が設けられた室内の悪臭も汚物横引き管１１を通じて大気へ放出することができる。汚物横引き管１１の内部が負圧になった場合には、排気管６０から空気が吸引され、便器１０のフラップ弁１０ｆの貯留水が吸引されることがなく、水封を保つことができる。
【００３７】
また、各貯水タンク３０はオーバーフロー管７０を介して接続されているため、上方の貯水タンク３０で貯水することができなかった使用済み排水等を下方の貯水タンク３０で貯水して、汚物横引き管１１に流水することができる。
【００３８】
図示しないが、集合住宅の１階の床下には、上方の貯水タンクにオーバーフロー管を介して接続される補助タンクが設けられ、補助タンクに溜まった補助水（使用済み排水及び雨水）をポンプにより補助給水管を介して上方の貯水タンクに汲み上げてもよい。このようにすれば、オーバーフローした使用済み排水及び雨水を再度、上方の貯水タンクに貯水して汚物搬送に利用されることが可能となる。また、水使用設備としてキッチンが配置されていてもよい。
【００３９】
したがって、実施例１の汚物搬送システムは、水使用設備の排水トラップ２０ｔ、２１ｔ、２２ｔの上流側に悪臭が逆流してしまうことを防止できると共に、水資源をより充分に節約することができる。
【００４０】
また、貯水タンク３０及び雨水貯留タンク４０に貯水される使用済み排水等は各汚物横引き管１１内の汚物搬送に利用されるのみであるため、貯水タンク３０及び雨水貯留タンク４０に貯水されている使用済み排水等を浄化する必要がない。このため、汚物搬送システムの構成を簡略化することができる。
【００４１】
実施例１では、最上階に雨水貯留タンク４０を備えて、雨水を貯水し利用する場合を説明したが、最上階の雨水貯留タンク４０は、雨水を貯水せずに、階下の補助タンクから汲み上げられた使用済み排水のみを貯水する構成にすることもできる。この場合、補助タンクに上水を給水するようにしてもよい。
【００４２】
また、各階に貯水タンク３０を配置したが、複数の階に１つずつ貯水タンク３０を設けるのみでもよい。
【００４３】
また、簡易水洗式の便器１０に換えて水洗式便器を設置することができる。この場合、汚物横引き管１１内の汚物搬送は、各貯水タンク３０又は雨水貯留タンク４０に貯水される使用済み排水等により行なわれる。このため、水洗式便器に供給される上水は、水洗式便器を洗浄し、汚物を水洗式便器から汚物横引き管１１へ排出するだけの量にすることができ、上水の使用量を削減できる。
【実施例２】
【００４４】
図３に示すように、実施例２の汚物搬送システムは、２階建ての戸建て住宅に本発明の汚物搬送システムを適用した場合を示す。実施例１と同じ構成のものは、説明を省略する。
【００４５】
実施例２の汚物搬送システムは、１階に浴槽２０、洗面器２１、及び２階に洗面器２１の各水使用設備が設置されている。各水使用設備から排水される使用済み排水は排水横引き管２５を介して１階の床下に備えられた床下貯水タンク１３５に流入し貯水される。
【００４６】
床下貯水タンク１３５は、雨水貯留タンク４０とオーバーフロー管７０で接続されている。雨水貯留タンク４０の雨水はオーバーフローすると床下貯留タンク１３５に流入し貯水される。雨水貯留タンク４０は雨水流入口１４５を介して大気開放されている。また、床下貯水タンク１３５は、補助タンクとして機能し、雨水貯留タンク４０の貯水量が減少するとポンプ１３５ｐにより補助給水管１３６を介して雨水貯留タンク４０に使用済み排水等（補助水）を汲み上げることができる。床下貯水タンク１３５に貯水された使用済み排水等は、雨水貯留タンク４０を介して１階と２階に備えられた各汚物横引き管１１に流水可能に接続されている。
【００４７】
このような構成である実施例２の汚物搬送システムにおいて、床下貯水タンク１３５に貯水された使用済み排水等をポンプ１３５ｐにより汲み上げる際に、床下貯水タンク１３５の水位が急激に下降すると、床下貯水タンク１３５の内部には、雨水流入口１４５、雨水貯留タンク４０及びオーバーフロー管７０を介して大気が吸引される。このため、床下貯水タンク１３５に接続された１階と２階の各水使用設備用排水トラップ２０ｔ、２１ｔの封水が吸引されることがなく、各水使用設備用排水トラップ２０ｔ、２１ｔの水封を保つことができる。また、１階の浴槽２０、洗面器２１、及び２階に洗面器２１の各水使用設備から排水される使用済み排水を汚物横引き管１１の汚物搬送に利用することができる。
【００４８】
したがって、実施例２の汚物搬送システムも、実施例１と同様に、水使用設備の排水トラップ２０ｔ、２１ｔの上流側に悪臭が逆流してしまうことを防止できると共に、水資源をより充分に節約することができる。
【００４９】
また、雨水貯留タンク４０に貯水される使用済み排水等は各汚物横引き管１１内の汚物搬送に利用されるのみであるため、雨水貯留タンク４０に貯水されている使用済み排水等を浄化する必要がない。このため、汚物搬送システムの構成を簡略化することができる。
【００５０】
実施例２では、２階に雨水貯留タンク４０を備えて、雨水を貯水し利用する場合を説明したが、２階の雨水貯留タンク４０は、雨水を貯水せずに、床下貯水タンク１３５からポンプで汲み上げられた使用済み排水のみを貯水する構成にすることもできる。この場合、床下貯水タンク１３５に上水を給水するようにしてもよい。
【００５１】
また、簡易水洗式の便器１０に換えて水洗式便器を設置することができる。この場合、汚物横引き管１１内の汚物搬送は、雨水貯留タンク４０に貯水される使用済み排水等により行なわれる。このため、水洗式便器に供給される上水は、水洗式便器を洗浄し、汚物を水洗式便器から汚物横引き管１１へ排出するだけの量にすることができ、上水の使用量を削減できる。
【００５２】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００５３】
本発明は汚物搬送システムに利用可能である。
【図面の簡単な説明】
【００５４】
【図１】実施例１の集合住宅に汚物搬送システムを適用した場合の概略図である。
【図２】簡易水洗式便器の排出口を示す一部切欠き断面図である。
【図３】実施例２の戸建て住宅に汚物搬送システムを適用した場合の概略図である。
【符号の説明】
【００５５】
１０…便器
１１…汚物横引き管
１１ｔ…汚物排水トラップ
１２…汚物立て管
２０…浴槽
２１…洗面器
２２…洗濯機
２０ｔ、２１ｔ、２２ｔ…水使用設備用排水トラップ
２５…排水横引き管
３０…貯水タンク
４０…雨水貯留タンク
４１…樋
５０…上水給水タンク
６０…排気管
７０…オーバーフロー管
１３５…床下貯水タンク
１３５ｐ…ポンプ
１３６…補助給水管
【図１】
2008095355.tif 000003
【図２】
2008095355.tif 000004
【図３】
2008095355.tif 000005